(57)【要約】【課題】充分な強度を保ちつつ、しかも無駄な材料を必要とせず、しかも、カップ状の容器を着脱可能に固定しておくことができ、組み立てが容易で効率の良い運搬、保管を行える組み立て容器を提案するものである。【解決手段】底板２の対向縁部にそれぞれ第１側板３及び第２側板４を起立するとともに、各側板上端縁両側間を一対の帯状頂板５により連結した箱型をなし、上端開口縁より内方へリング状のカップ保持部８を突設し、また、各側板の上端縁よりそれぞれ第１補強板９及び第２補強板１０を延設してそれぞれ二重壁とした。また、全体をシート状展開基板を折り畳んで形成した。【選択図】図１
2004182242.tif 000002
【特許請求の範囲】
【請求項１】
底板２の対向縁部にそれぞれ第１側板３及び第２側板４を起立するとともに、各側板上端縁両側間をそれぞれ一対の帯状頂板５により連結した箱型をなし、上端開口縁より内方へリング状のカップ保持部８を突設するとともに、各側板の上端縁よりそれぞれ延設した第１補強板９及び第２補強板１０の下端を底板２の対向縁部に係合させてそれぞれ二重壁を形成し、且つ、全体をシート状展開基板１１を折り畳んで形成したことを特徴とする折り畳み式容器。
【請求項２】
上記シート状展開基板１１が、底板２と、該底板２の一縁部より第１屈曲部１２を介して延設した第１側板３と、上記第１屈曲部１２の対向縁両側よりそれぞれ第２屈曲部１３を介し延設した一対の帯状頂板５と、上記第２屈曲部１３の対向縁にそれぞれ第３屈曲部１４を介して両側縁を連結した第２側板４と、上記いずれか一方の側板及び頂板とで形成する隅部より内方へ突設したリング状のカップ保持部８と、上記第１側板３より第２屈曲部１３を介して各頂板間に延設した第１補強板９と、上記第２側板４より第３屈曲部１４を介して各頂板間に延設した第２補強板１０とから構成してなる請求項１記載の折り畳み式容器。
【発明の詳細な説明】
【０００１】
【発明の属する技術分野】
本発明は折り畳み容器に関する。
【０００２】
【従来の技術】
段ボール等の厚紙により形成したトレー形態の容器が知られている（例えば、特許文献１参照）。
【０００３】
ここに示されているものは、底板の両側縁に立設した対向する側板の上端縁両端部を頂板で連結し、各頂板の内端縁に連設した端板を下方へ折り曲げ、端板の先端を底板に係合させるとともに、端板の下端縁に連設した重合板を上方へ折り曲げて端板の外面に重ね合わせ、重合板の先端を頂板に係合させ、頂板の内端縁に端板と重合板との二重壁を形成したものである。この容器は充分な圧縮強度を確保しつつ効率良く材料取りをして少量の材料でトレー状の形態とすることができ、組み立てが容易な優れたものである。
【０００４】
【特許文献１】
特開平１０−３３８２３２号公報（第２−３頁，図１）
【０００５】
【発明が解決しようとする課題】
本発明は従来のこの種の容器の持つ特性を維持しつつ、更に改良を加えたものである。即ち、本発明は、充分な強度を保ちつつしかも無駄な材料を必要とせず、しかも、カップ状の容器を着脱可能に固定しておくことが出来、組み立てが容易で効率の良い運搬，保管を行える組み立て式容器を提案するものである。
【０００６】
【課題を解決するための手段】
本請求項１発明の折り畳み式容器は上記課題を解決するため、底板２の対向縁部にそれぞれ第１側板３及び第２側板４を起立するとともに、各側板上端縁両側間をそれぞれ一対の帯状頂板５により連結した箱型をなし、上端開口縁より内方へリング状のカップ保持部８を突設するとともに、各側板の上端縁よりそれぞれ延設した第１補強板９及び第２補強板１０の下端を底板２の対向縁部に係合させてそれぞれ二重壁を形成し、且つ、全体をシート状展開基板１１を折り畳んで形成したことを特徴とする折り畳み式容器として構成した。
【０００７】
また、請求項２発明の折り畳み式容器は、上記シート状展開基板１１が、底板２と、該底板２の一縁部より第１屈曲部１２を介して延設した第１側板３と、上記第１屈曲部１２の対向縁両側よりそれぞれ第２屈曲部１３を介し延設した一対の帯状頂板５と、上記第２屈曲部１３の対向縁にそれぞれ第３屈曲部１４を介して両側縁を連結した第２側板４と、上記いずれか一方の側板及び頂板とで形成する隅部より内方へ突設したリング状のカップ保持部８と、上記第１側板３より第２屈曲部１３を介して各頂板間に延設した第１補強板９と、上記第２側板４より第３屈曲部１４を介して各頂板間に延設した第２補強板１０とから構成してなる請求項１記載の折り畳み式容器として構成した。
【０００８】
【発明の実施の形態】
以下、本発明の実施例の形態を図面を参照して説明する。
【０００９】
本発明の折り畳み容器１は、図１に示す如く、底板２の対向縁部にそれぞれ第１側板３及び第２側板４を起立するとともに、各側板上端縁両側間をそれぞれ一対の帯状頂板５により連結した箱型をなしており、内部を収納部６として形成している。また、各帯状頂板５はそれぞれ手で握れる幅に形成して、両手で持てる如く構成すると良く、図示例の如く、長手方向に沿って中央部を走る補強リブ７を形成すると良い。
【００１０】
また、上端開口縁の少なくとも一隅より内方へリング状のカップ保持部８を突設している。このカップ保持部８は、コップ、ボトル等の容器を挿入係止するためのものであり、図示例の如く一隅に限らず、２乃至４隅に設けることも可能である。また、図示例の如く、開環状のものであっても、完全なリング状のものであっても良い。
【００１１】
更に、各側板はその上端縁よりそれぞれ延設した第１補強板９及び第２補強板１０により二重壁に形成して収納物を収納した際の底板２の撓み防止効果を図るとともに、上方からの耐圧縮性の強化も図っている。各第１、第２補強板９、１０は、各第１，第２側板３、４の上端縁よりそれぞれ延設するとともに、下面を底板２上面に当接して下端部を底板２の対向縁部に係合させている。
【００１２】
また、本発明の折り畳み式容器は、全体をシート状展開基板１１を折り畳んで形成している。展開基板１１は、例えば合成樹脂、紙等よりなるシートを打ち抜き形成することにより得られるもので、図２に示す一例により説明する。
【００１３】
展開基板１１は、底板２と、第１側板３と、一対の帯状頂板５と、第２側板４とを順次第１屈曲部１２、第２屈曲部１３、第３屈曲部１４を介してそれぞれ延設しており、側板と頂板とで形成する隅部より内方へリング状のカップ保持部８を突設している。また、第２屈曲部１３を介して各頂板間に第１補強板９を、第３屈曲部１４を介して各頂板間に第２補強板１０をそれぞれ突設している。
【００１４】
更に具体的にいえば、底板２の一縁部には第２側板４の後述する係合片を係合させるための切欠部１５を穿設している。また、その前後縁部の左右方向中央部には各側板の後述する係止片をそれぞれ嵌合係止させるための係合孔１６をそれぞれ穿設している。また、第１側板３は、底板２の上記切欠部１５形成縁部に対向する縁部より第１屈曲部１２を介して延設している。
【００１５】
各帯状頂板５は、第１屈曲部１２の対向縁両側よりそれぞれ第２屈曲部１３を介し延設しており、各頂板５の長手方向に沿ってその中央部に陥没溝状の補強リブ７をそれぞれ形成している。また、第２側板４は、上記第２屈曲部１３の対向縁にそれぞれ第３屈曲部１４を介して両側縁を連結して延設している。第２側板４の第３屈曲部の対向縁には、上記切欠部１５と係合する係合片１７突設している。係合片１７は両側に、切欠部１５に係合させた際に底板２裏面に係合して上方への抜け出しを防止する係合突起１７ａ  を突設している。また、切欠部１５も、その両側縁部にそれぞれ、係合片１７の外方への抜け出しを防止する係止突起１８を突設している。
【００１６】
カップ保持部８は、上記いずれか一方の側板及び頂板とで形成する隅部より内方へ突設している。また、上記第１補強板９は、上記第１側板３より第２屈曲部１３を介して各頂板５間に延設しており、第２屈曲部１３の対向縁部には上記係合孔１６に嵌合係止される係止片１９を突設している。また、第２補強板１０は、第２側板４より上記第３屈曲部１４を介して各頂板５間に延設しており、第３屈曲部１４の対向縁部には上記係合孔１６に嵌合係止される係止片１９を突設している。尚、各補強板はその下面が底板２上面と当接する如く構成し、その当接幅もできるだけ長くなる如く構成すると良い。また、図示例ではカップ保持部８の存在で第２補強板１０はその分の幅を狭く構成しており、カップ保持部８の位置が相違する場合、或いはカップ保持部８が複数ある場合にはそれぞれその分の幅を狭く構成すれば良い。
【００１７】
上記の如き展開基板１１を組み立てる方法の一例を挙げれば、まず、第１屈曲部１２、第２屈曲部１３、第３屈曲部１４を屈折させて箱型に形成するとともに、第２側板４の係合片１７を底板２の切欠部１５に嵌合係止させて固定する。次いで、第１補強板９を第２屈曲部１３に於いて下方へ折り曲げ、その下端の係合片１７を上記底板２の係合孔１６に係合させて固定する。また、同様に第２補強板１０を下方へ折り曲げた後その下端の係合片１７を底板２の係合孔１６に係合させて固定する。
【００１８】
上記の如く組み立てた折り畳み式容器１は、収納部６内に例えば包装されたスナック，ハンバーガー等の収納物を収納するとともに、カップ保持部８にジュース等の入ったコップを挿入係止させ、両側の頂板５部分をもっての持ち運び、或いは、そのままテーブル上へ載置して収納物等を食することができる。
【００１９】
【発明の効果】
以上説明した如く本発明折り畳み式容器は、既述構成としたことにより、シート状の展開基板を組み立てれば容易に形成することができるため、組み立てが容易であるとともに、展開基板の状態で運搬、保管を行えるため、嵩張らず効率の良い運搬，保管を行える。また、使用後は比較的容易に分解して廃棄することができ、この場合にも嵩張らずに廃棄を行える。更に、組み立て、分解の際にスペースを取らず処理作業をより円滑に行える。
【００２０】
また、リング状のカップ保持部を備えているため、収納部分に収納物を収納する外に液体を入れたコップ等を安定的に維持させておくことができるものである。また、両側板が二重壁となっているため、底壁の撓みを防止でき、また、上方からの圧縮力にも強い。
【図面の簡単な説明】
【図１】本発明の一実施例を示す斜視図である。
【図２】同実施例の展開基板を示す斜視図である。
【図３】同実施例のＡ−Ａ線に沿う縦断面図である。
【符号の説明】
２…底板，３…第１側板，４…第２側板，５…帯状頂板，
８…カップ保持部，９…第１補強板，１０…第２補強板，１１…展開基板，
１２…第１屈曲部，１３…第２屈曲部，１４…第３屈曲部，
【図１】
2004182242.tif 000003
【図２】
2004182242.tif 000004
【図３】
2004182242.tif 000005